(57)【要約】【課題】構成を複雑にすることなくリテーナの挿入状態を確認することが可能なコネクタを提供する。【解決手段】コネクタは、中継端子９０の第１端部９１が臨む第１嵌合凹部１２を有する中継ハウジング１０と、第１嵌合凹部１２に内嵌されて中継端子９０に接続可能な第１端子金具１１０Ａが収容される第１インナハウジング３０Ａと、第１インナハウジング３０Ａの内部に挿入されて第１端子金具１１０Ａを抜け止めするリテーナ１３０と、第１嵌合凹部１２に外嵌されて第１インナハウジング３０Ａの周囲を取り囲む外周壁５３を有する第１アウタハウジング５０とを備える。第１嵌合凹部１２の外面には、ブラケットを取り付け可能な装着部２１が突設され、外周壁５３には、外嵌時に装着部２１が進入する逃がし部６１が凹設され、リテーナ１３０は、挿入時に第１インナハウジング３０Ａの外部に露出して逃がし部６１を通して視認される確認面１３３を有している。【選択図】図３
2014089808.tif 000002
【特許請求の範囲】
【請求項１】
相手導体が装着され、且つ、前記相手導体の端部が臨む嵌合凹部を有する相手ハウジングと、
前記嵌合凹部に内嵌されて前記相手導体の端部に接続可能な端子金具が収容されるインナハウジングと、
前記インナハウジングの内部に挿入されて前記端子金具を抜け止め状態に保持可能な抜け止め部を有するリテーナと、
前記嵌合凹部に外嵌されるとともに前記インナハウジングと連結されてこのインナハウジングの周囲を取り囲む外周壁を有するアウタハウジングとを備え、
前記嵌合凹部の外面には、ブラケットを取り付け可能な装着部が突設され、
前記外周壁には、前記嵌合凹部への外嵌時に前記装着部が進入する逃がし部が凹設され、
前記リテーナは、前記インナハウジングへの挿入時に前記インナハウジングの外部に露出して前記逃がし部を通して外側から視認される確認面を有していることを特徴とするコネクタ。
【請求項２】
前記リテーナが前記インナハウジングへの挿入時に前記インナハウジングの外面を覆う周壁を有し、前記確認面が前記周壁の外面で構成され、且つ、前記リテーナが前記インナハウジングに正規挿入された場合に、前記逃がし部を通して前記周壁の端部を視認することが可能となっていることを特徴とする請求項１記載のコネクタ。
【発明の詳細な説明】
【技術分野】
【０００１】
本発明は、コネクタに関する。
【背景技術】
【０００２】
特許文献１に記載のコネクタは、相手導体が装着されてその相手導体の端部が臨む筒状の嵌合凹部を有する相手ハウジング（特許文献１には図示されていない）と、嵌合凹部に内嵌されて相手導体の端部に接続可能な端子金具が収容されるブロック状のインナハウジングと、インナハウジングの内部に挿入されて端子金具を抜け止め状態で係止する抜け止め部を有するリテーナと、嵌合凹部に外嵌されるとともにインナハウジングに連結されてこのインナハウジングの周囲を取り囲む外周壁を有するアウタハウジングとを備えている。リテーナは、インナハウジングに前方から装着されるようになっている。
【先行技術文献】
【特許文献】
【０００３】
【特許文献１】特開２０１１−３４８８２号公報
【発明の概要】
【発明が解決しようとする課題】
【０００４】
ところで、上記従来のコネクタの場合、リテーナがインナハウジングへの装着時に外周壁に隠れて見えなくなるため、リテーナが正規挿入されているのか否かを目視により確認するのが困難であるという事情があった。これに鑑み、外周壁にリテーナの挿入状態を見るための専用の確認窓を設けることも可能であるが、その分、構成が複雑になるという問題があった。
【０００５】
本発明は上記のような事情に基づいて完成されたものであって、構成を複雑にすることなくリテーナの挿入状態を確認することが可能なコネクタを提供することを目的とする。
【課題を解決するための手段】
【０００６】
本発明のコネクタは、相手導体が装着され、且つ、前記相手導体の端部が臨む嵌合凹部を有する相手ハウジングと、前記嵌合凹部に内嵌されて前記相手導体の端部に接続可能な端子金具が収容されるインナハウジングと、前記インナハウジングの内部に挿入されて前記端子金具を抜け止め状態に保持可能な抜け止め部を有するリテーナと、前記嵌合凹部に外嵌されるとともに前記インナハウジングと連結されてこのインナハウジングの周囲を取り囲む外周壁を有するアウタハウジングとを備え、前記嵌合凹部の外面には、ブラケットを取り付け可能な装着部が突設され、前記外周壁には、前記嵌合凹部への外嵌時に前記装着部が進入する逃がし部が凹設され、前記リテーナは、前記インナハウジングへの挿入時に前記インナハウジングの外部に露出して前記逃がし部を通して外側から視認される確認面を有しているところに特徴を有する。
【発明の効果】
【０００７】
アウタハウジングが嵌合凹部に外嵌されると、外周壁の逃がし部にブラケットの装着部が進入して逃がされる。また、逃がし部を通してリテーナの確認面を見ることにより、リテーナの挿入状態を確認することができる。したがって、逃がし部が、装着部を逃がす機能と、リテーナの挿入状態を確認する機能とを兼備することとなり、両機能が別々の部位に設けられる場合に比べ、構成が簡素化される。
【図面の簡単な説明】
【０００８】
【図１】本発明の実施例１に係るコネクタの正面図である。
【図２】図１のＡ−Ａ線断面図である。
【図３】第１ハウジングと第１嵌合凹部との分解断面図である。
【図４】第２ハウジングと第２嵌合凹部との分解断面図である。
【図５】中継ハウジングの断面図である。
【図６】中継ハウジングの平面図である。
【図７】中継ハウジングの側面図である。
【図８】第１インナハウジングの正面図である。
【図９】第１インナハウジングの背面図である。
【図１０】第１インナハウジングの側面図である。
【図１１】第１アウタハウジングの平面図である。
【図１２】第１アウタハウジングのロックアームを示す断面図である。
【図１３】第１アウタハウジングの外周壁の下部を示す断面図である。
【図１４】第２アウタハウジングの背面図である。
【図１５】レバーが初期位置に装着された第２アウタハウジングの平面図である。
【発明を実施するための形態】
【０００９】
本発明の好ましい形態を以下に示す。
前記リテーナが前記インナハウジングへの挿入時に前記インナハウジングの外面を覆う周壁を有し、前記確認面が前記周壁の外面で構成され、且つ、前記リテーナが前記インナハウジングに正規挿入された場合に、前記逃がし部を通して前記周壁の端部を視認することが可能となっている。逃がし部を通して周壁の端部の位置を見ることにより、リテーナがインナハウジングに正規挿入されているのか否かを確実に知ることができる。
【００１０】
＜実施例１＞
本発明の実施例１を図１〜図１５によって説明する。実施例１に係るコネクタは、図２に示すように、いわゆるジョイントコネクタであって、中継ハウジング１０（相手ハウジング）、第１インナハウジング３０Ａ、第１アウタハウジング５０、第２インナハウジング３０Ｂ及び第２アウタハウジング７０を備えている。なお、以下の説明において、前後方向については、図２の右側を前方とし、上下方向については、図２を基準とする。
【００１１】
中継ハウジング１０は合成樹脂製であって、図５に示すように、縦壁状の隔壁１１と、隔壁１１を挟んで前後両側に配置された筒状の第１嵌合凹部１２及び第２嵌合凹部１３とを有している。第１嵌合凹部１２及び第２嵌合凹部１３は、互いに反対方向に開口しており、詳細には、第１嵌合凹部１２が前方に向けて開口し、第２嵌合凹部１３が後方に向けて開口している。図２に示すように、第１嵌合凹部１２の内側には第１インナハウジング３０Ａが嵌合され、第１嵌合凹部１２の外側には第１アウタハウジング５０が嵌合され、さらに、第２嵌合凹部１３の内側には第２インナハウジング３０Ｂが嵌合され、第２嵌合凹部１３の外側には第２アウタハウジング７０が嵌合されるようになっている。
【００１２】
隔壁１１には、図５に示すように、複数の装着孔１４が形成されている。また、隔壁１１には、第２嵌合凹部１３の内部に突出する上下複数段の突板部１５が形成されている。各装着孔１４は、隔壁１１から各突板部１５にかけて貫通する形態とされている。そして、各装着孔１４の内部には、第１嵌合凹部１２側から中継端子９０（相手導体）が圧入により装着されるようになっている。
【００１３】
中継端子９０は、図５に示すように、前後方向に細長いバスバーであって、その前端部が第１嵌合凹部１２の内部に臨む第１端部９１とされ、その後端部が第２嵌合凹部１３の内部に臨む第２端部９２とされている。
【００１４】
また、隔壁１１には、第１嵌合凹部１２及び第２嵌合凹部１３のそれぞれの内部に突出するガイドリブ１６が前後方向に延出して形成されている。第１インナハウジング３０Ａ及び第２インナハウジング３０Ｂが第１嵌合凹部１２及び第２嵌合凹部１３に嵌合される際にその嵌合動作がガイドリブ１６によって案内されるようになっている。
【００１５】
第１嵌合凹部１２の上面には、図５及び図６に示すように、ロック部１７が突設されている。ロック部１７は、扁平台状の第１台部１８を介して一段高い位置に配置されている。そして、第１台部１８の幅方向両端には、ロック部１７を挟んだ両側に、一対の保護壁１９が形成されている。そして、第１アウタハウジング５０は、ロック部１７によって第１嵌合凹部１２に嵌合状態に保持されるようになっている。
【００１６】
図７に示すように、第１嵌合凹部１２の下面には、装着部２１が突設されている。装着部２１は、幅方向両側に開口する箱状の形態とされ、その内部に撓み可能なロック片２２が形成されている。装着部２１の内部には、図示しない取付対象に固定された図示しないブラケットが幅方向一側からスライドして挿入され、挿入されたブラケットがロック片２２によって弾性的に係止されるようになっている。これにより、中継ハウジング１０は、ブラケットを介して取付対象に取り付けられるようになっている。なお、装着部２１の上端部は、括れ状をなし、前方に開口するスリット状の進入凹部２３を有している。進入凹部２３には、図２に示すように、後述する第１アウタハウジング５０の外周壁５３の下部が進入可能とされている。
【００１７】
図７に示すように、第２嵌合凹部１３の上下両面には、一対のカム部２４が突設されている。カム部２４は、略円柱状をなし、第２アウタハウジング７０に装着された後述するレバー１００（第２保持手段）と係合して第２アウタハウジング７０の嵌合動作を低嵌合力で進める役割をはたす。また、カム部２４は、上記と同様、扁平台状の第２台部２５を介して一段高い位置に配置されている。図６に示すように、第１台部１８と第２台部２５とは、前後方向に延びる連結リブ２６を介して互いに連結されている。連結リブ２６は、図７に示すように、第２台部２５と装着部２１とを連結する形態で中継ハウジング１０の下面にも形成されており、第１嵌合凹部１２と第２嵌合凹部１３とに跨ることで中継ハウジング１０の成形時の反りを抑える役割をはたす。
【００１８】
また、第２嵌合凹部１３の上下両面には、図６及び図７に示すように、第２台部２５の後端から後方に延びる解除リブ２７が形成されている。解除リブ２７は、レバー１００の後述する弾性係止部１０６と干渉して弾性係止部１０６の係止状態を解除する役割をはたす。さらに、第２嵌合凹部１３の前端部の上下両面には、幅方向に延びるガタ詰め突部２８が形成されている。ガタ詰め突部２８には、第２嵌合凹部１３に外嵌された第２アウタハウジング７０が当接し、これによって第２嵌合凹部１３に対する第２アウタハウジング７０のガタ付きが抑えられるようになっている。
【００１９】
第１インナハウジング３０Ａは同じく合成樹脂製であって、第２インナハウジング３０Ｂと同一形状とされている。詳細には、第１インナハウジング３０Ａと第２インナハウジング３０Ｂとは、互いに同形同大であって形態上の相違は無く、互いに共用可能となっている。このため、以下において、第１インナハウジング３０Ａの形状を説明するが、それは第２インナハウジング３０Ｂの形状でもあるため、第１インナハウジング３０Ａと第２インナハウジング３０Ｂとの共通部位に同一の呼称及び同一の符号を付し、第２インナハウジング３０Ｂの形状説明は省略する。もっとも、第１インナハウジング３０Ａと第２インナハウジング３０Ｂのそれぞれの設置方向は互いに逆向きとされるため、以下において、前後方向の概念は第１インナハウジング３０Ａ側と第２インナハウジング３０Ｂ側とで互いに反対となる。
【００２０】
第１インナハウジング３０Ａは、図８〜図１０に示すように、ブロック状のハウジング本体３１を備えている。ハウジング本体３１には、図３に示すように、複数のキャビティ３２が前後方向に延出して形成されている。各キャビティ３２の内壁には、撓み可能なランス３３が後方に突出して形成されている。そして、各キャビティ３２内には前方から第１端子金具１１０Ａが挿入されるようになっている。
【００２１】
第１端子金具１１０Ａは導電性の金属板を曲げ加工等して成形され、図３に示すように、電線１２０の端末部に圧着接続されている。キャビティ３２内に第１端子金具１１０Ａが正規挿入されると、第１端子金具１１０Ａがランス３３に弾性的に係止され、これによって第１端子金具１１０Ａがキャビティ３２内に抜け止めされるようになっている。なお、第１端子金具１１０Ａはサイズの異なる複数種で構成されており、第２インナハウジング３０Ｂに収容される第２端子金具１１０Ｂも第１端子金具１１０Ａと同一形状であって、第１端子金具１１０Ａと同様、複数種で構成されている。
【００２２】
図８に示すように、ハウジング本体３１の前面には、隣接するキャビティ３２間に、幅方向に一対のリブ受け部３４が凹設されている。第１インナハウジング３０Ａが第１嵌合凹部１２に内嵌された状態では、リブ受け部３４の内部に、ガイドリブ１６が位置決め状態で挿入されるようになっている。また、図９及び図１０に示すように、ハウジング本体３１の後面（図１０の右側）には、一対のロック突部３５が前方に突出して形成されている。両ロック突部３５は、前後方向に関して両リブ受け部３４と同軸上の位置に配置されている。そして、両ロック突部３５の先端部には、ロック爪３６が外向きに突出して形成されている。第１インナハウジング３０Ａが第１アウタハウジング５０に組み付けられると、両ロック突部３５が後述するゴム栓１４０を液密に貫通して、両ロック突部３５のロック爪３６が第２アウタハウジング７０の後述する基壁５１を弾性的に係止し、もって第１インナハウジング３０Ａが第１アウタハウジング５０に離脱規制状態に連結されるようになっている。
【００２３】
また、図３に示すように、ハウジング本体３１の後面には、リテーナ１３０が装着される。リテーナ１３０は同じく合成樹脂製であって、板状の前壁１３１と、前壁１３１の外縁から前方に突出する筒状の周壁１３２とを有している。前壁１３１は、装着時にハウジング本体３１の前面を覆うように配置され、図２に示すように、各キャビティ３２と対向する位置に、中継端子９０の第１端部９１が貫通する複数の通し孔１３４が形成されている。この場合、中継端子９０の第１端部９１は、各通し孔１３４によってキャビティ３２内に導かれ、キャビティ３２内に挿入された第１端子金具１１０Ａに電気的に接続されるようになっている。
【００２４】
前壁１３１の後面には、図３に示すように、複数の抜け止め部１３５が各通し孔１３４の縁部から前方に突出して形成されている。リテーナ１３０がハウジング本体３１に正規挿入されると、各抜け止め部１３５がランス３３の撓み空間に進入し、これにより、ランス３３の撓み動作が規制され、第１端子金具１１０Ａに対する抜け止めの信頼性が高められるようになっている。
【００２５】
周壁１３２は、装着時にハウジング本体３１の前部の上下両面及び左右両面（幅方向両端面）を覆うように配置される。周壁１３２の外面のうち、ハウジング本体３１の下側に露出する面は、第１アウタハウジング５０の後述する逃がし部６１を通して視認可能な確認面１３３とされている。なお、第２インナハウジング３０Ｂ側にも上記と同一形状のリテーナ１３０が装着されるようになっている。
【００２６】
ハウジング本体３１の前面には、図３に示すように、上下方向に沿ったマット状のゴム栓１４０が当接して配置される。ゴム栓１４０はシリコンゴム等のゴム製であって、その内部に、複数のシール孔１４１が貫通して形成されている。各シール孔１４１の内周面には、複数条の内周リップ１４２が周回して形成されている。各キャビティ３２に第１端子金具１１０Ａが挿入されると、各第１端子金具１１０Ａから延びる電線１２０がシール孔１４１内に挿入され、各内周リップ１４２が電線１２０の外周面に弾性的に密着して、電線１２０周りのシールがとられるようになっている。また、ゴム栓１４０の外面には、複数条の外周リップ１４３が周回して形成されている。第１嵌合凹部１２に第１インナハウジング３０Ａが正挿入されると、各外周リップ１４３が第１嵌合凹部１２の内周面に弾性的に密着して、第１嵌合凹部１２の内部のシールがとられるようになっている。なお、第２インナハウジング３０Ｂ側にも上記と同一形状のゴム栓１４０が装着されるようになっている。
【００２７】
続いて、第１アウタハウジング５０について説明する。第１アウタハウジング５０は合成樹脂製であって、図１２に示すように、縦壁状の基壁５１と、基壁５１の外縁から後方に突出する筒状の外周壁５３とを有している。第１アウタハウジング５０が第１嵌合凹部１２に外嵌されると、基壁５１の前面がゴム栓１４０に当接して配置され、ゴム栓１４０がハウジング本体３１と基壁５１と間に弾性的に挟まれるようになっている。
【００２８】
基壁５１は、ゴム栓１４０の各シール孔１４１と対向する位置に、複数の挿通孔５２を有している。各挿通孔５２は、各キャビティ３２及び各シール孔１４１と前後方向に同軸で連通して配置されている。図３に示すように、各キャビティ３２内に第１端子金具１１０Ａが正規挿入されると、第１端子金具１１０Ａから延出する電線１２０が各挿通孔５２内に遊嵌して挿入されるようになっている。また、基壁５１の前面側には、第１インナハウジング３０Ａにおける既述したロック突部３５のロック爪３６が弾性的に引っ掛け係止されるようになっている。
【００２９】
図１１に示すように、外周壁５３の上部の幅方向略中央には、ロックアーム５４（第２保持手段）が形成されている。図１２に示すように、ロックアーム５４は、外周壁５３の上部のうち基壁５１の上端から後方に突出する部分の後端側から上方に突出する脚部５５と、脚部５５の上端から前後両方向に延出するアーム本体５６とからなり、脚部５５を支点としてシーソ状に撓み変形可能とされている。図１１に示すように、アーム本体５６の後端部は矩形枠状をなし、その内部に、ロック孔５７が開口して形成されている。また、外周壁５３の上部には、ロックアーム５４を挟んだ幅方向両側に、一対の保護部５８が立ち上げ形成されている。図２に示すように、第１アウタハウジング５０が第１嵌合凹部１２に正規深さで外嵌されると、ロック孔５７にロック部１７が弾性的に嵌り込み、これによって第１アウタハウジング５０が第１嵌合凹部１２に第１インナハウジング３０Ａともども離脱規制状態（嵌合状態）に保持されるようになっている。なお、アーム本体５６の前端部には、第１嵌合凹部１２との嵌合状態を解除する際に押圧される解除操作部５９が一段高く形成されている。
【００３０】
また、外周壁５３の下部の後端には、図１３に示すように、逃がし部６１が凹設されている。逃がし部６１は、外周壁５３における幅方向両端部を残した略前半部に略矩形状に大きく切り欠かれた形態とされている。第１アウタハウジング５０が第１嵌合凹部１２に外嵌されると、逃がし部６１に装着部２１の上端部が進入して逃がされるようになっている。また、図３に示すように、第１アウタハウジング５０に第１インナハウジング３０Ａが組み付けられ、第１インナハウジング３０Ａにリテーナ１３０が組み付けられた状態では、逃がし部６１を通してリテーナ１３０の確認面１３３の全体を覗き見ることが可能となっている。
【００３１】
続いて、第２アウタハウジング７０について説明する。第２アウタハウジング７０は合成樹脂製であって、図４及び図１４に示すように、縦壁状の基壁部７１と、基壁部７１の外縁から前方に突出する筒状の外周壁部７２とを有している。基壁部７１は、基壁５１と同一形状とされており、ゴム栓１４０に当接して配置され、各シール孔１４１と対向する位置に、電線１２０を遊嵌して挿入可能な挿通孔７３を有している。また、図１４に示すように、基壁部７１には、幅方向に一対の貫通孔７４が形成され、図１に示すように、基壁部７１の前面側における貫通孔７４の孔縁に、第２インナハウジング３０Ｂにおけるロック突部３５のロック爪３６が弾性的に引っ掛け係止されるようになっている。なお、図示しないが、基壁５１にも同様の貫通孔が形成されている。
【００３２】
図１４に示すように、外周壁部７２の上部及び下部の幅方向中央部には、一対の支軸７５が突設されている。支軸７５は、円柱状をなし、図４に示すように、レバー１００を支持可能とされている。また、外周壁部７２の上部及び下部の幅方向中央部には、図４及び図１５に示すように、後端から前方に延びる導入溝７６が切り欠き形成されている。そして、図１４に示すように、外周壁部７２の上部及び下部には、導入溝７６を挟んだ幅方向両側に、一対ずつの拡開防止壁７７が形成されている。各拡開防止壁７７は、前方に開口する袋状をなし、内側にレバー１００の後述するアーム部１０２が進入してこのアーム部１０２が拡開するのを防止する役割をはたす。そして、レバー１００を装着した第２アウタハウジング７０が第２嵌合凹部１３に外嵌されると、導入溝７６に、第２嵌合凹部１３のカム部２４が導入され、レバー１００の後述するカム溝１０５の入り口にカム部２４が進入するようになっている。なお、支軸７５は、導入溝７６の直後方に配置されている。
【００３３】
外周壁部７２の上部及び下部の幅方向一側には、図１４及び図１５に示すように、後端から前方に延びる内側有底の逃がし凹所７８が凹設されている。逃がし凹所７８は、後述するように、レバー１００の弾性係止部１０６を逃がす部分とされている。また、外周壁部７２の幅方向他側の外面には、レバーロック受け部７９が突設されている。
【００３４】
レバー１００は合成樹脂製であって、図１に示すように、上下方向に沿った操作部１０１と、操作部１０１の上下両端から互いにほぼ平行に突出する一対のアーム部１０２とを有し、全体として門型をなしている。図１５に示すように、操作部１０１には、レバーロック部１０３が撓み可能に形成されている。アーム部１０２には、支軸７５を受ける軸受け部１０４が貫通して形成され、且つ、外周縁に開口するカム溝１０５が延出して形成されている。また、アーム部１０２には、撓み可能な弾性係止部１０６が切り込み形成されている。
【００３５】
レバー１００は第２アウタハウジング７０に後方から跨るように装着され、軸受け部１０４に支軸７５が嵌合した状態で、支軸７５を中心として初期位置と嵌合位置との間を回動可能とされている。図１５に示すように、初期位置では、弾性係止部１０６の先端部が導入溝７６の溝縁を弾性的に係止することにより、レバー１００の嵌合位置への回動操作が規制される。第２アウタハウジング７０が第２嵌合凹部１３に外嵌される過程で、導入溝７６に解除リブ２７が進入して弾性係止部１０６と干渉することにより、弾性係止部１０６の係止状態が解除され、これによってレバー１００の嵌合位置への回動動作が許容される。そして、図１に示すように、嵌合位置では、弾性係止部１０６の先端部が逃がし凹所７８に進入することにより、弾性係止部１０６の撓み状態が解放されてほぼ自然状態に戻り、且つ、レバーロック部１０３がレバーロック受け部７９を弾性的に係止することにより、レバー１００が嵌合位置に保持されるようになっている。また、レバー１００の回動時には、両アーム部１０２の外周縁が拡開防止壁７７の内部に挿入された状態に保たれることにより、両アーム部１０２が嵌合力を受けて外側に拡開するのが防止されるようになっている。
【００３６】
本実施例に係るコネクタの構造は上述の通りであり、続いて、コネクタの組み付け手順及び作用効果を説明する。
まず、図５に示すように、中継ハウジング１０の隔壁１１の各装着孔１４には中継端子９０が圧入により装着保持される。
【００３７】
第１インナハウジング３０Ａ及び第２インナハウジング３０Ｂは、それぞれ、基壁５１及び基壁部７１との間にゴム栓１４０を挟んだ状態でロック突部３５を介して第１アウタハウジング５０及び第２アウタハウジング７０に連結される。また、第２アウタハウジング７０の支軸７５にレバー１００の軸受け部１０４が嵌合され、レバー１００が第２アウタハウジング７０に装着される。この場合、弾性係止部１０６が導入溝７６の溝縁を係止することにより、レバー１００は初期位置に留め置かれる。なお、以下において、連結状態にある第１インナハウジング３０Ａ及び第１アウタハウジング５０を第１ハウジング４００と呼び、連結状態にある第２インナハウジング３０Ｂ、第２アウタハウジング７０及びレバー１００を第２ハウジング５００と呼ぶ。
【００３８】
続いて、第１インナハウジング３０Ａ及び第２インナハウジング３０Ｂにおけるハウジング本体３１の各キャビティ３２内に第１端子金具１１０Ａ及び第２端子金具１１０Ｂが挿入され、且つ、ハウジング本体３１にリテーナ１３０が正規深さで装着されて、第１端子金具１１０Ａ及び第２端子金具１１０Ｂがキャビティ３２内に抜け止め保持される。
【００３９】
この場合、図３に示すように、第１インナハウジング３０Ａに装着されたリテーナ１３０は、下方から第１アウタハウジング５０の逃がし部６１を通して確認面１３３が視認される。具体的には、リテーナ１３０の周壁１３２の前端が逃がし部６１の後端よりも後方に位置していることから、周壁１３２の前端も含めて確認面１３３の全体が視認される。したがって、仮に、リテーナ１３０の装着し忘れがあると、逃がし部６１を通して確認面１３３を見ることができず、また、リテーナ１３０が正規深さで装着されていないと、逃がし部６１を通して見える確認面１３３の位置が所定位置に至らず、これによって、リテーナ１３０が正規の挿入位置に至っていないことを知ることができる。その場合、改めてリテーナ１３０を正規の挿入位置に押し込むようにする。
【００４０】
次いで、中継ハウジング１０の第１嵌合凹部１２には、第１ハウジング４００が前方から嵌合される。すると、第１インナハウジング３０Ａのハウジング本体３１が第１嵌合凹部１２に内嵌されるとともに、第１アウタハウジング５０の外周壁が第１嵌合凹部１２に外嵌される（図２を参照）。嵌合過程では、第１嵌合凹部１２に第１ハウジング４００が押し込まれることにより、ロックアーム５４のアーム本体５６が第１嵌合凹部１２のロック部１７と干渉して、アーム本体５６が脚部５５を支点として傾倒変位される。そして、正規嵌合時には、アーム本体５６が弾性復帰してロック孔５７にロック部１７が嵌まり込み、これによって第１ハウジング４００が第１嵌合凹部１２に離脱規制状態に保持される。
【００４１】
第１嵌合凹部１２に第１ハウジング４００が正規嵌合されると、中継端子９０の第１端部９１がリテーナ１３０の通し孔１３４からキャビティ３２内に挿入されて第１端子金具１１０Ａと電気的に接続される。また、第１アウタハウジング５０の逃がし部６１に進入凹部２３を通して装着部２１の上端部が進入し、第１アウタハウジング５０と装着部２１との干渉が回避される。さらに、第１嵌合凹部１２の内面にゴム栓１４０の各外周リップ１４３が弾性的に密着して、第１嵌合凹部１２の内部のシールがとられる。
【００４２】
一方、中継ハウジング１０の第２嵌合凹部１３には、第２ハウジング５００が後方から嵌合される。すると、第２インナハウジング３０Ｂのハウジング本体３１が第２嵌合凹部１３に内嵌されるとともに、第２アウタハウジング７０の外周壁部７２が第２嵌合凹部１３に外嵌される（図２を参照）。第２アウタハウジング７０が第２嵌合凹部１３に浅く嵌合されると、レバー１００のカム溝１０５の入り口にカム部２４が進入し、且つ、レバー１００の弾性係止部１０６の係止状態が解除リブ２７によって解除される。その状態で、操作部１０１を摘みながレバー１００を嵌合位置に向けて回動する。すると、カム溝１０５の溝面にカム部２４が摺動して第２ハウジング５００との間にカム作用が発揮され、第２嵌合凹部１３に対する第２ハウジング５００の嵌合動作が抵操作力で進行する。こうしてレバー１００が嵌合位置に到達すると、レバーロック部１０３がレバーロック受け部７９を弾性的に係止し、レバー１００が第２嵌合凹部１３に回動規制状態に保持され、ひいては第２ハウジング５００が第２嵌合凹部１３に離脱規制状態に保持される。
【００４３】
第２嵌合凹部１３に第２ハウジング５００が正規嵌合されると、中継端子９０の第２端部９２がリテーナ１３０の通し孔１３４からキャビティ３２内に挿入されて第２端子金具１１０Ｂと電気的に接続される。また、第２嵌合凹部１３の内面にゴム栓１４０の各外周リップ１４３が弾性的に密着して、第２嵌合凹部１３の内部のシールがとられる。
【００４４】
以上説明したように、本実施例によれば、レバー１００及びロックアーム５４の形態上の相違に起因し、第１嵌合凹部１２に嵌合される第１ハウジング４００と第２嵌合凹部１３に嵌合される第２ハウジング５００とを全体として同一形状にすることができないという事情がある。しかるに本実施例によれば、第１嵌合凹部１２にロックアーム５４で保持される第１アウタハウジング５０と第２嵌合凹部１３にレバー１００で保持される第２アウタハウジング７０とが互いに異なる形状とされるものの、第１インナハウジング３０Ａと第２インナハウジング３０Ｂとが互いに同一形状とされるため、第１インナハウジング３０Ａ及び第２インナハウジング３０Ｂを互いに共用化することができ、その分、コストを低く抑えることができる。
【００４５】
また、第２嵌合凹部１３側ではレバー１００のカム作用によって低嵌合力で嵌合操作を進めることができる。この場合、仮に、部品共用化のために第１ハウジング４００側もレバー１００で構成すると、コストが上昇してしまうが、この構成によれば、手嵌合で足りる第１ハウジング４００側ではレバー１００を省略することができるため、コストが上昇するのを必要最小限に抑えることができる。
【００４６】
また、第１アウタハウジング５０に装着部２１との干渉を回避するための逃がし部６１が凹設され、この逃がし部６１がリテーナ１３０の挿入状態を確認するための検知機能を兼備するため、第１ハウジング４００の構成が簡素化される。
【００４７】
さらに、リテーナ１３０の周壁１３２の前端が第１アウタハウジング５０の逃がし部６１を通して視認可能とされるため、周壁１３２の前端位置を確認することにより、リテーナ１３０の挿入状態を正確に知ることができる。
【００４８】
＜他の実施例＞
本発明は上記記述及び図面によって説明した実施例に限定されるものではなく、例えば次のような態様も本発明の技術的範囲に含まれる。
（１）第１嵌合凹部及び第２嵌合凹部が互いに交差する方向に開口する形態であってもよい。
（２）第２保持手段は、ハウジング本体に対して嵌合方向と交差する方向にスライドすることでカム作用を発揮するスライド式のレバーであってもよい。
（３）第１保持手段は、第２保持手段と同様にレバーからなるが、第２保持手段のレバーとは形状及び／又は係止強度を異にするものであってもよい。
（４）第２保持手段は、第１保持手段と同様にロックアームからなるが、第１保持手段のロックアームとは形状及び／又は係止強度を異にするものであってもよい。
（５）中継端子は隔壁にインサートにより装着されるものであってもよい。
（６）上記実施例は、ジョイントコネクタに適用した場合を例示するものであるが、本発明によれば、ワイヤトゥワイヤ等の通常のコネクタにも適用可能である。
【符号の説明】
【００４９】
１０…中継ハウジング（相手ハウジング）
１１…隔壁
１２…第１嵌合凹部（嵌合凹部）
１３…第２嵌合凹部
１７…ロック部
２１…装着部
２４…カム部
３０Ａ…第１インナハウジング（インナハウジング）
３０Ｂ…第２インナハウジング
３２…キャビティ
５０…第１アウタハウジング（アウタハウジング）
５３…外周壁
５４…ロックアーム（第１保持手段）
６１…逃がし部
７０…第２アウタハウジング
９０…中継端子（相手導体）
９１…第１端部
９２…第２端部
１００…レバー（第２保持手段）
１１０Ａ…第１端子金具（端子金具）
１１０Ｂ…第２端子金具
１２０…電線
１３０…リテーナ
１３２…周壁
１３３…確認面
１３５…抜け止め部
４００…第１ハウジング
５００…第２ハウジング
【図１】
2014089808.tif 000003
【図２】
2014089808.tif 000004
【図３】
2014089808.tif 000005
【図４】
2014089808.tif 000006
【図５】
2014089808.tif 000007
【図６】
2014089808.tif 000008
【図７】
2014089808.tif 000009
【図８】
2014089808.tif 000010
【図９】
2014089808.tif 000011
【図１０】
2014089808.tif 000012
【図１１】
2014089808.tif 000013
【図１２】
2014089808.tif 000014
【図１３】
2014089808.tif 000015
【図１４】
2014089808.tif 000016
【図１５】
2014089808.tif 000017